(57)【要約】  【課題】構造が簡単で着座者へのフィット性に優れた椅子を提供する。  【手段】背もたれ１３を構成する背インナー板２０を、上部は剛体部２０ａでその下方は変形許容部２０ｂと成し、剛体部２０ａにバックフレーム１４を固定している。変形容易部２０ｂの下端はフック３８を介してバックフレーム１４に係止されている。かつ、変形容易部２０ｂは、ランバーサポート１５のような支持手段で後方から支えている。変形容易部２０ｂは全方向に変形可能であり、しかも変形容易部２０ｂの下端は自由端の状態になっているため、着座者が身体をねじるような動きをしてもこれに的確に追従変形して、フィット性を向上できる。従来の裏カバーは不要であるため構造が簡単になる。【選択図】    図８
2005080675.tif 000002
【特許請求の範囲】
【請求項１】
着座者がもたれ掛かるとその体圧を受ける背もたれのうち着座者の腰部よりも高い位置の適宜範囲を撓み変形しない剛体部と成して、この剛体部を、背もたれの後方に配置したバックフレームに相対動不能に固定している一方、
背もたれのうち剛体部よりも下方の部位は撓み変形可能な変形許容部と成しており、この変形許容部を、後方又は前方からの外力が掛かると撓み変形し得る状態で前記バックフレームにて後方から支持している、
椅子。
【請求項２】
前記背もたれは、合成樹脂製の背インナー板と、その前面に張ったクッション材とを備えており、背インナー板の上部に、後ろ向きに張り出すことによって撓み変形不能と成した剛体部が一体に形成されており、この剛体部をバックフレームに相対動不能に固定している一方、
背インナー板のうち剛体部の下方の部分は、多数のリブ群の存在により、平断面形状と縦断面形状とが容易に変形し得る変形許容部となっており、この背もたれの変形許容部の下端部は、バックフレームに対して、上下動を許容しつつ大きく離反しない状態に係止されており、更に、背インナー板の変形許容部は、高さ調節可能なランバーサポートを介してバックフレームで後方から支持されている、
請求項１に記載した椅子。
【請求項３】
背インナー板の前面にクッション材を張っている背もたれであって、
背インナー板の上部に、後ろ向きに張り出すことによって撓み変形不能と成した剛体部が一体に形成されており、この剛体部に、背もたれの後方に配置されるバックフレームに固定される取り付け部を形成している一方、
背インナー板のうち剛体部の下方の部分は、多数のリブ群を形成することにより、平断面形状と縦断面形状とが容易に変形し得る変形許容部となっており、この背もたれの変形許容部の下端部に、バックフレームに対して上下動を許容しつつ大きく離反しない状態に係止するための係止手段が形成されている、
椅子用の背もたれ。
【発明の詳細な説明】
【技術分野】
【０００１】
本願発明は、椅子及びその背もたれに関するものである。
【背景技術】
【０００２】
人が椅子に腰掛けて作業等を行う場合、腰椎が後方から的確に支持されていると、腰椎や脊椎への負担が軽減されて（すなわち無理のない正しい姿勢になって）疲れにくい。そこで、背もたれに、主として腰椎を集中的に支持するためのランバーサポートを設けることが行われている。
【０００３】
この場合、人の体格は様々で腰椎の高さも異なっており、また、腰や背中のうちどの部分を集中的に支えるかについて好みの違いがある。そこで、ランバーサポートを高さ調節可能に支持することにより、体格や好みに応じたランバーサポート機能を実現することが図られている。
【０００４】
例えば、特許文献１では、背もたれを、合成樹脂製の背もたれ板の前面にクッション材が張られた構造とした場合において、背もたれ板のうち着座者の腰に相当する部分にスリットを形成することによって部分的に突出し得る変形許容部を形成し、この変形許容部の裏側にランバーサポート（公報では「突出部材」と称している）を配置し、このランバーサポートを背支稈で高さ調節可能に支持することが記載されている。
【０００５】
また、特許文献２には、背もたれを、その上下中途高さ部位を中心にして屈曲する（すなわち側面視で前向き突のく字状に屈曲する）ように形成し、着座した人のもたれ掛かりにて背もたれの上部を下部に対して相対的に後傾させることにより、リクライニング時（ロッキング時）のフィット性を高めんとした発明が開示されている。
【０００６】
更に、本願出願人の先願に係る特許文献３には、ランバーサポート付きの背もたれにおいて、背もたれの背インナー板に多数のスリット群を形成することにより、平断面形状と縦断面形状との両方とも容易に変形し得るように形成することが開示されている。
【特許文献１】特許第３０３８１７４号公報
【特許文献２】特開２００３−１３５２０４号公報
【特許文献３】特開２００３−１６４３５４号公報に
【発明の開示】
【発明が解決しようとする課題】
【０００７】
特許文献１では、背もたれのうちランバーサポートによって押し出される部分は上下寸法及び左右寸法ともごく僅かな面積しかなく、このため着座した人の身体に対するフィット性が十分でない虞が高い。また、ランバーサポートの高さを調節するにおいては一々裏カバーを取り外さなければならないため、ランバーサポートの高さ調節が頗る厄介である。
【０００８】
他方、特許文献２の構成では、リクライニング時に着座者の腰部を強く押すように作用するに過ぎないため、非ロッキング状態において人の腰椎を的確に押すことはできず、従って、ランバーサポート機能は殆どないか著しく低い。
【０００９】
これに対して本願出願の先願に係る特許文献３の構成によると、背インナー板は縦横の側面視と平面視との両方において容易に変形するため、着座者の身体に対するフィット性が高くてランバーサポート機能を格段に向上できる。
【００１０】
本願発明は、前記した先願の考え方を一部踏襲したもので、着座者の身体へのフィット性は確保ししつつ、背部の構造をより簡素化できるようにすることを課題とするものである。
【課題を解決するための手段】
【００１１】
本願発明は椅子と背インナー板とを含んでいる。請求項１の発明は椅子に係るもので、この椅子では、着座者がもたれ掛かるとその体圧を受ける背もたれのうち着座者の腰部よりも高い位置の適宜範囲を撓み変形しない剛体部と成して、この剛体部を、背もたれの後方に配置したバックフレームに相対動不能に固定している一方、背もたれのうち剛体部よりも下方の部位は撓み変形容易な変形許容部と成しており、この変形許容部を、後方又は前方からの外力が掛かると撓み変形し得る状態で前記バックフレームにて後方から支持している。
【００１２】
請求項２の発明は請求項１の下位概念であり、この発明において、前記背もたれは、合成樹脂製の背インナー板と、その前面に張ったクッション材とを備えており、背インナー板の上部に、後ろ向きに張り出すことによって撓み変形不能と成した剛体部が一体に形成されており、この剛体部をバックフレームに相対動不能に固定している。
【００１３】
一方、背インナー板のうち剛体部の下方の部分は、多数のリブ群の存在により、平断面形状と縦断面形状とが容易に変形し得る変形許容部となっており、この背もたれの変形許容部の下端部は、バックフレームに対して、上下動を許容しつつ大きく離反しない状態に係止されており、更に、背インナー板の変形許容部は、高さ調節可能なランバーサポートを介してバックフレームで後方から支持されている。
【００１４】
背もたれは、請求項３に記載したように、背インナー板の前面にクッション材を張っている基本構造であり、背インナー板の上部に、後ろ向きに張り出すことによって撓み変形不能と成した剛体部が一体に形成されており、この剛体部に、背もたれの後方に配置されるバックフレームに固定される取り付け部を形成している。
【００１５】
一方、背インナー板のうち剛体部の下方の部分は、多数のリブ群を形成することにより、平断面形状と縦断面形状とが容易に変形し得る変形許容部となっており、この背もたれの変形許容部の下端部に、バックフレームに対して上下動を許容しつつ大きく離反しない状態に係止するための係止手段が形成されている。
【発明の効果】
【００１６】
ところで、背インナー板と座インナー板とが分離されたタイプの回転椅子における従来の背部は、前から順にクッション材と背インナー板と裏カバーとの３つの部材を主要部材として備えた構成として、裏カバーをバックフレームに固定して、背インナー板を裏カバーにスナップ係合にて取り付けるか、或いは、背インナー板の全体を剛体構造にして、背インナー板をバックフレームにねじ等によって固定するかした構造が多かった。
【００１７】
前者の構成では、背部としての強度は専ら裏カバーが担っており、背インナー板は人の体圧を受けることを主眼にして設計されている。このため、背インナー板に変形許容部を形成してランバーサポートで支持することは容易に行えるが、構造が複雑化する傾向があると共に全体に厚ぼったくなる傾向がある。他方、後者のように背インナー板をバックフレームに直接に取り付ける場合は、背インナー板の全体を頑丈な構造にしているため、ランバーサポート機能を設けることが難しかった。
【００１８】
これに対して本願発明は、着座者の体圧を受ける背もたれをバックフレームに直接に固定しつつ、背もたれに変形許容部を設けているため、従来の裏カバーを不要にした簡単な構成でありながら、ランバーサポートによって容易に変形させることができるというように、着座者の体格や姿勢に追従した変形を可能にしてフィット性を高めることができる。
【００１９】
また、特許文献１はランバーサポート機能付きとは言いながら、背インナー板のうちのごく狭い面積を部分的に押し出すに過ぎないため着座者に対するフィット性が不十分になる虞があり、また、特許文献２のものは背インナー板の側面形状を変化させるだけの単調な変形に過ぎないのに対して、本願請求項２や請求項３のように構成すると、例えば着座者が後ろを向くようにして上半身をねじると、その上半身のねじりに追従して変形許容部を撓み変形させることが可能になり、このため、着座者の体格や姿勢に応じて変形許容部を的確に撓み変形させることができて、フィット性がより向上する。
【発明を実施するための最良の形態】
【００２０】
次に、本願発明の実施形態を図面に基づいて説明する。
【００２１】
(1).第１実施形態（図１〜図17）
図１〜図１７では第１実施形態を示している。まず、図１〜図４に基づいて概要を説明する。図１は椅子を前方から見た全体斜視図、図２は椅子を後方から見た全体斜視図、図３は部分的な背面図、図４は背部を構成するバックフレームとバックカバーとの分離背面図である。
【００２２】
(a).概要
本発明はいわゆる回転椅子に適用しており、図１や図２に示すように、椅子は、脚装置１と支基部２と座部３と背部４と肘装置５とを備えている。脚支柱１は、先端にキャスター６を設けた枝足部７と、枝足部７の中心部に高さ調節自在に設けた脚支柱（ガスシリンダー）８とを備えている。
【００２３】
他方、支基部２は、脚支柱８の上端に固定したベース９を備えており、このベース９で座部３を支持している。詳細は省略するが、座部３は座板（座インナーシェル）の上面にクッション材を張った構造になっており、後傾動及び後退動可能に支持されている。
【００２４】
ベース９には、背部４が取り付く揺動アーム１０を後傾動自在に取り付けている。本実施形態の揺動アーム１０は、ベース９の側方から後方に延びるサイドメンバー１０ａとその後端を一体に連結するリアメンバー１０ｂとで平面視コ字状に形成している（もちろん、他の形態でも良い）。ベース９の内部には、揺動アーム１０の後傾動を弾性的に支持するばね手段を設けている
詳細は省略するが、座部３と揺動アーム１０とは軸によって相対回動可能に連結されており、このため、背部４が後傾動すると座部３も後退動しつつ後傾動する（すなわち、座部３と背部４とがシンクロする）。肘装置５は肘支柱１１とこれに高さ調節自在に取り付けた肘当て１２とを備えており、肘支柱１１は揺動アーム１０に固定している。
【００２５】
背部４は、着座した人の身体を受ける背もたれ（背もたれ）１３と、この背もたれ１３を後方から支持するバックフレーム１４と、バックフレーム１４と背もたれ１３との間に介在させたランバーサポート１５とを備えている。
【００２６】
バックフレーム１４は、背もたれ１３の縦長中心線１６に近い位置で上下に延びる２本の縦長部材１４ａと、その上端部に固着した左右長手の上部材１４ｂとで略Ｔ字状に形成されており、縦長部材１４ａは揺動アーム１０のリアメンバー１０ｂに固着されている。縦長部材１４ａは丸パイプからなっており、上部材１４ｂは断面コ字状になっている（Ｌ字状や円形等の他の断面形状でも良い）。
【００２７】
バックフレーム１４は金属製であり、合成樹脂製のバックカバー１８で裏側から覆われている。バックカバー１８は揺動アーム１０のリアメンバー１０ｂも覆っており、このため、バックカバー１８は背面視において略横向きＨ字状の形態になっている。そして、ランバーサポート１５は、バックカバー１８の左右外側にはみ出るように横長に形成されている。以下、図５以下の図面を参照して背部４の詳細を説明する。
【００２８】
(b).背もたれの基本構造
まず、図５〜図７に基づいて、背もたれ１３の基本構造を説明する。図５は背部４の全体的な縦断側面図であり、この図から理解できるように、背もたれ１３は、合成樹脂製の背インナー板（背もたれ板）２０とその前面に張ったクッション材２１とを備えている。背インナー板２０は平面視で前向き凹状に緩く湾曲している。
【００２９】
背インナー板２０は、その上部側の３０％程度を占める剛体部２０ａと、それよりも下方の部分を占める変形許容部２０ｂとから成っている。剛体部２０ａは、上部に行くほど深さが浅くなる前向き凹状に形成されており、このため、剛体部２０ａの下端は変形許容部に対してオーバーハング状に後ろ向きに張り出している（すなわち段違い状になっている）。
【００３０】
剛体部２０ａの内部には、補強及びクッション材２１の安定的支持のため、水平方向及び上下方向に延びる多数のリブ２２が一体に形成されている。言うまでもないが、剛体部２０ａは基本的に弾性変形しない。
【００３１】
変形許容部２０ｂは板状であり、図６（Ａ）の背面図に示すように、多数のスリットを形成することにより、ランバーサポート１５によって容易に曲げ変形させ得るようになっている。また、着座した人の体圧が掛かることによっても撓み変形可能となっている。
【００３２】
変形許容部２０ｂに形成するスリット群の具体的な形態として、背もたれ１３及び背インナー板２０の縦長中心線１６を挟んで対称状に延びる上向き開口コ字状のメインスリット２４ａと、メインスリット２４ａに連続した状態で左右方向に延びる第１補助スリット群２４ｂと、メインスリット２４ａで囲われた内側に独立して形成された左右長手の第２補助スリット群２４ｂと、メインスリット２４ａの左右外側において背インナー板２０の端面に開口するように形成された左右長手の第３補助スリット群２４ｄとを形成している。
【００３３】
ところで、特許文献３を除いた従来のランバーサポート付き椅子では、背インナー板は側面視で前向き凸状に変形させることを主眼としており、すなわち縦断面形状を変化させることを主眼としており、平断面形状の変化はあまり考慮されていない。このため、着座者がフィット性を物足りなく感じることがあった。
【００３４】
これに対して、本実施形態によると、変形許容部２０ｂの上端近傍から下端近傍まで上下方向に長く延びるメインスリット２４ａの存在により、背インナー板２０は、例えば右側部だけが集中的に後ろ向きに後退するように撓み変形したり、平面視で全体として偏平状の状態になるように撓み変形したりというように、平断面形状が大きく変化し得る。
【００３５】
このため、着座した人が上半身を左右方向にねじると、背インナー板２０は人の上半身の動きに追従して平断面形状が変化するように撓み変形することが可能となり、このため、フィット性に優れている。
【００３６】
特に、着座した人が腕を肘当て１２に突っ張らせた状態で上半身をねじることがあり、この場合は背インナー板２０にはこれを平面視でねじるような外力が強く作用するが、この場合の上半身に対する突っ張り感を抑制できるため、フィット性に優れている。
【００３７】
更に述べると、変形許容部２０ｂはその上部が剛体部２０ａと一体に接続されて下端は自由端状態になっているため、変形許容部２０ａの下部はより大きく変形しやすい状態になっており、このため、変形許容部２０ｂは着座者の腰の動きに追従するように的確にねじれ変形し得る。
【００３８】
また、肩幅が広い人がもたれ掛かると背インナー板２０にはこれを押し広げるような外力が作用し勝手になるが、この場合も、背インナー板２０は平面視での曲率が小さくなるように変形しやすいため、フィット性に優れている。
【００３９】
また、横長の補助スリット群２４ｂ〜２４ｃの存在により、側断面形状も変化し易いため、ランバーサポート１５による変形機能（押し出し機能）には支障はない。なお、メインスリット２４ａで囲われた内側において第１補助スリット群２４ｂと第２補助スリット群２４ｃとが交互に配置されているため、背インナー板２０は両補助スリット群２４ｂ，２４ｃの境界の部分で変形しやすくなっており、このため、平断面形状を変形させる機能がより強く発揮される。
【００４０】
背インナー板２０とクッション材２１とは、図７（背面図）に示す表皮材２５で全体が覆われている。すなわち、図７は表皮材２５の背面図であり、表皮材２５は背インナー板２０とクッション材２１とを収納できるように袋状に形成されている。表皮材２５は、背インナー板２０及びクッション材２１を収納できるように裏側をＴ字状に開口しており、縦長の開口部にファスナー２６を設けている。
【００４１】
従来のような広い面積の裏カバーを備えておらずに背インナー板２０をバックフレーム１４に直接に固定した構造であっても、背インナー板２０の背面が表皮材２５で覆われているため、美観を損なうことは全くない。なお、表皮材２５の開口部はバックカバー１８で隠れるので美観を損なうことはない。表皮材２５の開口部のうち横長の部分にファスナーやホック等の閉じ手段を設けることも可能である。
【００４２】
(c).バックフレームへの背インナー板の取り付け
次に、図８〜図１３も参照して、バックフレームへの背インナー板の取り付け構造を説明する。図８は表皮材２５及びバックカバー１８並びにクッション材２１を省略した状態での背面図、図９は分離斜視図、図１０は図３のX-X 視断面図、図１１は図１０のXI−XI視断面図、図１２は図８のXII-XII 視断面図、図１３は図１２のXIII-XIII 視断面図である。
【００４３】
バックフレーム１４における縦長部材１４ａの上端部は上部材１４ｂよりも上方に突出している一方、図１０及び図１１に示すように、背インナー板２０の剛体部２０ａには、縦長部材１４ａの上端部が下方から嵌合する筒部（穴部）２９が形成されている。筒部２９は裏側に開口した横溝穴３０で分断されている。これは肉厚を均等化するためである。
【００４４】
バックフレーム１４における上部材１４ｂの上片は、背インナー板２０における剛体部２０ａの下面（段差面）３１に重なっており、上部材１４ｂの左右両端部の上片を、背インナー板２０の剛体部２０ａに、上下長手のビス３２とこれに螺合するナット（六角ナット）３３とで締結している。
【００４５】
背インナー板２０の剛体部２０ａには、ナット３３を裏側から嵌め込むナット保持穴３４が空いている。ナット保持穴３４には、ビス３２を逃がすための遊び穴３５が連通している。筒部２９やナット保持穴３４は請求項２に記載した取り付け部の一例を構成している。
【００４６】
図９では、上部材１４ｂを背インナー板２０に締結するためのビス３２が挿通する穴を符号３６で示している。なお、ナット３３は四角形のものを使用してもよい。また、ナット３３を使用せずに、剛体部２０ａに形成された穴にタッピンねじ等の自己穿孔式ビスをねじ込むことによって上部材１４ｂを剛体部２０ａに締結することも可能である。
【００４７】
バックフレーム１４における２本の縦長部材１４ａが背インナー板２０の剛体部２０ａに嵌合し、しかも、バックフレーム１４の上部材１４ｂがビス３２で背インナー板２０の剛体部２０ａに締結されているため、背インナー板２０は剛体部２０ａの箇所で上部材１４ｂに強固に締結される。
【００４８】
図１２に示すように、剛体部２０ａの下面のうち左右両側の部位には、バックフレーム１４の上部材１４ｂを前後ずれ不能に保持する下向きのリブ３５を形成している。このため、背インナー板２０はバックフレーム１４に対してより強固に取り付けられる。なお、バックフレーム１４はバックカバー１８で覆われ、また、横溝穴３０やナット保持穴３４、遊び穴３５は表皮材２５で覆われるので美観の悪化は生じない。
【００４９】
例えば図５に示すように、背インナー板２０の上部に後ろ向きに突出する剛体部２０ａを設けたことにより、バックフレーム１４の縦長部材１４ａと背インナー板２０の変形許容部２０ｂとの間にある程度の空間（隙間）が開く。そして、この空間にランバーサポート１５を配置することができる。
【００５０】
本実施形態のようなバックフレーム１４を使用する場合、背インナー板２０の上部に後ろ向きに張り出したリブを形成し、このリブにバックフレーム１４の上部をねじ止め等で固定しても良いのである。
【００５１】
図５や図９から容易に理解できるように、背インナー板２０の下端部でかつ左右中間部の裏面には、請求項３に記載した係止手段の一例として、側面視下向き鉤状のフック３８をビス３８ａで締結している一方、バックフレーム１４の上部材１４ｂの下端部には、フック３８が引っ掛かり係合する係合バー３９を溶接等によって固着している。フック３８は表皮材２５の外面に重なっている（従ってビス３８ａは表皮材２５に貫通している）。
【００５２】
フック３８は上下に長く延びており、このため、背インナー板２０の変形許容部２０ｂはバックフレーム１４から離反不能に保持されると共に、その変形が許容される。
【００５３】
なお、フック３８は背インナー板２０に一体成形しても良い。フック３８はバックフレーム１４における縦長部材１４ａの左右外側に配置することも可能であるが、背インナー板２０の変形許容部２０ｂを平面視でねじるように容易に変形させ得るためには、本実施形態のように左右の縦長部材１４ａで挟まれれた中間部に配置するのが好ましい。
【００５４】
(d).ランバーサポート
次に、図５，図６（Ｂ）、図９に加えて図１４及び図１５も参照してランバーサポート１５について説明する。図１４はバックカバー１８を省略した状態での平断面図、図１５のうち（Ａ）は要部背面図（バックカバー１８は表示している）、（Ｂ）は（Ａ）のＢ−Ｂ視断面図、（Ｃ）はランバーサポート１５の部分的な背面図である。
【００５５】
ランバーサポート１５は、既述のとおりバックカバー１８の縦長部分から左右外側にはみ出るように横長の形態であり、背面視で左右両端部は円弧状に形成されており、また、側断面は前向き凸状（後ろ向き凹状）に形成されている。
【００５６】
図１４に示すように、本実施形態ではランバーサポート１５のその左右両端部が背インナー板２０の変形許容部２０ｂに当接するように設定している。このため、背インナー板２０の変形許容部２０ｂは平面視での曲率が小さくなるように変形することが可能であり、その結果、クッション性・フィット性に優れているといえる。もちろん、左右全長にわたって背インナー板２０に当接させたり、或いは、中中間部のみを背インナー板２０に当接させてもよい。
【００５７】
ランバーサポート１５の後面には、バックフレーム１４のセンターメンバー１４ａに手前側から嵌まる側面視半円状の上下ガイド部４１を形成している。この場合、ランバーサポート１５の上下動をスムースに行えるようにするため、各ガイド部４１とセンターメンバー１４ａとの間には合成樹脂製のスライダー４２を介在させている。
【００５８】
スライダー４２は押さえ金具４３及びビス４４でランバーサポート１５のセンターリブ４５に締結している。もちろん、スライダー４２はランバーサポート１５に直接締結しても良い。スライダ４２は上下分離方式又は左右分離方式でも良い。
【００５９】
ランバーサポート１５はバックカバー１８の左右外側にはみ出ているため、人は着座したまま両手を後ろに回してランバーサポート１５の後ろ向き露出部に手を当てることができ、このため、着座したままでランバーサポート１５の高さを頗る簡単に調節をすることができる。
【００６０】
図１４に示すように、ランバーサポート１５の左右中間部は前向き凹状に凹んでおり、凹みを符号１５ｆで示している。勿論、凹み１５ｆを形成せずに滑らかに延びる形状であっても良い。
【００６１】
(e).バックカバーの取り付け
図１６に示すように、本実施形態では、バックカバー１８は、その上部をバックフレーム１４の上部材１４ｂにビス４６で固定すると共に、その縦長部をバックフレーム１４の縦長部材１４ａに固定したブラケット４７にビス４８で固定している。
【００６２】
バックカバー１８にはビス４８をねじ込むための筒部４９を一体に形成している。図９では、ビス４８の挿入穴を符号５０で表示している。バックカバー１８の下部を揺動アーム１０のリアメンバー１０ｂにもビスで締結してもよい。
【００６３】
本実施形態では、バックフレーム１４に予めバックカバー１８を取り付けておいてから、バックフレーム１４に背もたれ１３を取り付けてビス４８で固定することになる。ビス４８のねじ込みを許容するため、図１２に示すようにバックカバー１８の上部には切欠き１８ａを形成しているが、この切欠き１８ａは人目に触れることはないので美観の問題はない。
【００６４】
椅子の組み立てにおいてカバー類は一般に最後に取り付けられており、このため、の取り付け手段としては、合成樹脂の爪の弾性を利用したスナップ方式が多い。しかし、このようなスナップ方式の取り付け手段では、取り外しが面倒であり、また、取り付け強度に劣る問題がある。
【００６５】
これに対して本実施形態のように予めカバー１８をバックフレーム１４等のフレーム類にねじ止めしておく方法を採用すると、カバー１８の取り外しを簡単に行えると共に、取り付け強度も向上できる利点がある。より正確に述べると、バックフレームを下方から挿入したビスで背インナー板に締結したことにより、ビスが人目に触れることを露出することを防止できるため、バックカバー１８を予めバックフレーム１４にビスで固定しておくことが可能になったのである。
【００６６】
本実施形態では背インナー板２０の上部を後方に張り出し剛体部２０ａとして、この剛体部２０ａにバックフレーム１４を取付けると、バックカバー１８の背面を剛体部２０ａの背面に揃えた状態でありながらバックフレーム１４の縦長部材１４ａと背インナー板２０の変形許容部２０ｂとの間にランバーサポート１５を配置できる空間が空くため、ランバーサポート１５をバックカバー１８の左右外側に露出させた形態でありながら、全体としてすっきりとしたデザインを実現できる利点がある。
【００６７】
(f).実施形態の利点
次に、図１７も参照して本実施形態の利点を説明する。図１７の（Ａ）（Ｂ）は比較例（従来例）を示しており、この背インナー板２０′は合成樹脂で平断面前向き凹状に形成されている。なお、断面表示（平行斜線）は省略している。
【００６８】
他方、一点鎖線Ｂで示すのは人の腰部背面の平面視での簡略プロフィールであり、太った人は左右幅及び曲率とも大きく、このため、背インナー板２０′の左右両側部に強く当たる傾向を呈する。他方、痩せた人は左右幅及び曲率とも小さくて、背インナー板２０′の左右中間部に強く当たる傾向を呈する。
【００６９】
そして、従来のランバーサポート機構では、背インナー板２０′の平断面形状はあまり変化しないため、太った人は左右の脇腹寄りの箇所において突っ張り感を受け、逆に、痩せた人は腰椎又は脊椎の箇所に突っ張り感を受ける傾向がある。このため、いずれにしてもフィット性が不十分である。
【００７０】
これに対して本実施形態では、背インナー板２０の変形許容部２０ｂはスリット群２４の存在によって平断面形状が大きく変形し可能であり、しかも、ランバーサポート１５が平面視前向き凹状であって変形許容部２０ｂは平面視での曲率が大きくなる状態にも小さくなる状態にも変形し得るため、太った人の場合は、（Ｃ）に示すように、変形許容部２０ｂは平面視での曲率を大きくするように延び変形する傾向を呈し、逆に、痩せた人の場合は、変形許容部２０ｂは平面視での曲率が小さくなるように曲がり変形する傾向を呈することになり、いずれの場合もフィット性が高い。
【００７１】
すなわち、着座した人の後向き体圧が背インナー板２０の変形許容部２０ｂで分散して支持されることにより、着座者に対して背インナー板２０及びランバーサポート１５が突っ張り感を与えることを防止又は著しく抑制することができる。
【００７２】
図１７（Ｅ）に示すように、背インナー板２０の背面（変形許容部２０ｂのみの背面でも良い）に薄いクッション材２１ａを張っても良い（勿論、裏側のクッション材２１も表皮材２５で覆われる）。
【００７３】
この図１７（Ｅ）のように構成すると、ランバーサポート１５による変形許容部２０ｂの突っ張りがクッション材２１ａによって緩衝されるため、着座者に対する当たりがより柔らかくなる（すなわちフィット性が高くなる）と期待されるす。
【００７４】
また、樹脂製の背インナー板２０に直接に表皮材２５を張ると、表皮材２５に僅かの弛みがあるとその弛みが外部に現れるが、クッション材２１ａを介して表皮材２５を張るとと、クッション材２１ａの弾性を利用して表皮材２５をピンと張った状態に保持できるため、直ぐ沙汰美観を保持することが容易となる利点もある。
【００７５】
(2).他の実施形態（図１８〜図２０）
第１実施形態では背インナー板２０の剛体部２０ａは前向きに開口した形態であったが、図１８に第２実施形態として示すように、後ろ向きに開口した形態に形成してよい。この場合は補強リブ２２は後面に表れるが、これは表皮材２５で覆うことができるので、美観の点での問題は解消できる。
【００７６】
図１９に第３実施形態として示すように、バックフレーム１４は、左右の縦長部材１４ａを大きく離反して配置した下向き開口コ字状（又は矩形）に形成することも可能である。
【００７７】
背もたれの剛体部と変形許容部とを別体構造とすることも可能である（但し、一体構造にすると構造が簡単になる）。その例を図２０で第４実施形態として示している。このうち（Ａ）では、全体として柔構造の背インナー板２０の上部に撓み変形不能な補強体（樹脂製でも良いし金属製でも良い）５０を接着やねじ止め等にて固着し、この補強板５０の箇所を剛体部となしている。
【００７８】
（Ｂ）に示す例では、薄い背インナー板２０の上部に、第１実施形態の剛体部２０ａと類似した形状の補強体５０を固定している。（Ａ）（Ｂ）では背インナー板２０にスリット２４を形成することによって変形許容部２０と成している（なお、スリット２４は簡略した状態で表示している）。
【００７９】
（Ｃ）に示す例では、クッション材２１を例えば合成樹脂シートのような薄くて化撓性のあるシート材５１に張り、シート材５１の上部に、第２実施形態の剛体部２０ａと同様の形状の補強体５０を固着している。この例では、変形許容部はランバーサポートのような支持手段で裏側から支持することが必要である。
【００８０】
図では表示していないが、剛体部の下方の部分をクッション材のみの構成として（表皮材で覆われている）、これを裏側から支持体で支持することも可能である。この場合の支持体は撓み変形することが好ましい。
【００８１】
例えば、バックフレームの形状は様々に設定することができる。第１実施形態のようにバックフレームに縦長部材を設ける場合、縦長部材は１本だけとすることも可能であり、また、板金製や合成樹脂製とすることも可能である。バックフレームを合成樹脂製としてバックカバーを無くすことも可能である。
【００８２】
更に、背もたれは背インナー板のみの単一構造とすることも可能である。また、変形容易部を後方からばね手段で支持することも可能である。背もたれの剛体部と変形容易部との上下寸法の比率は必要に応じて設定できる（例えば、丈の高いハイバックの背もたれの場合は、上下半分ずつ程度を剛体部と変形容易部とに分けても良い）。
【００８３】
合成樹脂等の板材に変形許容部を形成する手段としては、スリット（隙間のない切り込みも含む）に代えて又はこれに加えて、薄肉部を形成することも可能である。スリット群の配置形態は様々に具体化できる。
【００８４】
図１８に二点鎖線で示すように、剛体部２０ａの上方に変形許容部２０ｃを設けることも可能である。すなわち、剛体部２０ａの上下いずれかに変形許容部を設ければ足りる。また、変形許容部は後方から支持しない自由端状態に保持されていてもよい（過度に変形するのを防止するためのストッパー手段をバックフレームに設けるのが好ましい）。
【図面の簡単な説明】
【００８５】
【図１】第１実施形態の椅子を前方から見た全体斜視図である。
【図２】椅子を後方から見た全体斜視図である。
【図３】部分的な背面図である。
【図４】バックフレームとバックフレームとの分離背面図である。
【図５】背部の全体的な縦断側面図である。
【図６】背インナー板及びランバーサポートの背面図である。
【図７】表皮材の背面図である。
【図８】表皮材とバックカバーとを省略した状態での背部の背面図である。
【図９】分離斜視図である。
【図１０】図３のX-X 視断面図である。
【図１１】図１０のXI−XI視断面図である。
【図１２】図８のXII-XII 視断面図である。
【図１３】図１２のXIII-XIII 視断面図である。
【図１４】バックカバー１８を省略した状態での平断面図である。
【図１５】（Ａ）は要部背面図、（Ｂ）は（Ａ）のＢ−Ｂ視断面図、（Ｃ）はランバーサポートの部分的な背面図である。
【図１６】バックカバーの取り付け方法を示す断面図である。
【図１７】作用の説明図である。
【図１８】第２実施形態を示す図である。
【図１９】第３実施形態を示す図である。
【図２０】第４実施形態を示す図である。
【符号の説明】
【００８６】
１  脚装置
２  支基部
３  座部
４  背部
１０  揺動アーム
１３  背もたれ
１４  バックフレーム
１４ａ  バックフレームの縦長部材
１４ｂ  バックフレームの上部材
１５  ランバーサポート
２０  背インナー板
２０ａ  剛体部
２０ｂ  変形許容部
２４ａ〜２４ｄ  スリット
【図１】
2005080675.tif 000003
【図２】
2005080675.tif 000004
【図３】
2005080675.tif 000005
【図４】
2005080675.tif 000006
【図５】
2005080675.tif 000007
【図６】
2005080675.tif 000008
【図７】
2005080675.tif 000009
【図８】
2005080675.tif 000010
【図９】
2005080675.tif 000011
【図１０】
2005080675.tif 000012
【図１１】
2005080675.tif 000013
【図１２】
2005080675.tif 000014
【図１３】
2005080675.tif 000015
【図１４】
2005080675.tif 000016
【図１５】
2005080675.tif 000017
【図１６】
2005080675.tif 000018
【図１７】
2005080675.tif 000019
【図１８】
2005080675.tif 000020
【図１９】
2005080675.tif 000021
【図２０】
2005080675.tif 000022